(57)【特許請求の範囲】
【請求項１】
１側と２側を接続するコネクタであって、
電源用の電位又はグランド電位に保持される１側の板状端子と、
前記板状端子上に配設される第１絶縁部と、
信号線に接続され、前記第１絶縁部に保持され、前記第１絶縁部に対して突出する突出部を有するプラグと、
２側の第２絶縁部と、
前記第２絶縁部に保持され、１側と２側が接続されると前記プラグの前記突出部の側面に係合するばね状の第１端子と、
前記第２絶縁部に保持され、１側と２側が接続されると前記板状端子に当接する電源又はグランド用の第２端子と
を含み、
前記板状端子は、１側と２側が接続されると、平面視で、前記第１端子及び前記第２端子が前記第２絶縁部から突出する部分の全体と重なる大きさを有し、
前記第１端子は、前記第２絶縁部から前記板状端子の表面に対して平行に突出し、前記第２絶縁部からそれぞれの先端部までの長さが異なる一対の端子部を有し、１側と２側が接続されると、前記一対の端子部が前記板状端子の表面に平行な方向に拡げられて前記プラグの前記突出部を挟むことにより、前記プラグの前記突出部の両側面に係合する、
コネクタ。
【請求項２】
前記第２絶縁部は、前記第１端子側に突出する突出保持部を有し、
前記第１端子は、前記一対の端子部の一方が前記第２絶縁部から直線状に突出して前記突出保持部に保持される、請求項１に記載のコネクタ。
【請求項３】
前記プラグは、１側と２側が接続された状態で前記一対の端子部の一方に当接する折り曲げ部を有する、請求項２に記載のコネクタ。
【請求項４】
前記プラグの前記突出部の板厚方向は、前記板状端子に対して起立するように角度を有する、請求項１乃至３のいずれか一項に記載のコネクタ。
【請求項５】
前記第１端子及び前記第２端子は、平面視で、２つの第２端子の間に、２つの第１端子が配列されるように、前記第２絶縁部に保持される、請求項１乃至４のいずれか一項に記載のコネクタ。
【発明の詳細な説明】
【技術分野】
【０００１】
本発明は、高周波信号を伝送するコネクタに関する。
【背景技術】
【０００２】
従来より、高周波信号を伝送するための種々のコネクタがある。
（例えば、特許文献１参照）。
【先行技術文献】
【特許文献】
【０００３】
【特許文献１】特開２００５−００５２７２号公報
【発明の概要】
【発明が解決しようとする課題】
【０００４】
ところで、従来のコネクタは、雄側と雌側を接続する際に、信号線を伝送するための端子は、グランド基板との間の距離が変化する方向に変位されるため、複数の信号線の各々に接続される端子と、グランド端子との高さにばらつきが生じる可能性があった。
【０００５】
信号線に接続される端子とグランド端子との高さのばらつきは、信号線に接続される端子の特性インピーダンスのばらつきや不整合に繋がるため、信号の劣化、損失の増大等が生じ、高速での信号伝送に障害が生じる可能性があった。
【０００６】
そこで、本発明は、高速での信号伝達特性の良好なコネクタを提供することを目的とする。
【課題を解決するための手段】
【０００７】
本発明の一局面のコネクタは、１側と２側を接続するコネクタであって、電源用の電位又はグランド電位に保持される１側の板状端子と、前記板状端子上に配設される第１絶縁部と、信号線に接続され、前記第１絶縁部に保持され、前記第１絶縁部に対して突出する突出部を有するプラグと、２側の第２絶縁部と、前記第２絶縁部に保持され、１側と２側が接続されると前記プラグの前記突出部に係合するばね状の第１端子と、前記第２絶縁部に保持され、１側と２側が接続されると前記板状端子に当接する電源又はグランド用の第２端子とを含み、前記板状端子は、１側と２側が接続されると、平面視で、前記第１端子及び前記第２端子が前記第２絶縁部から突出する部分の全体と重なる大きさを有し、前記第１端子は、前記第２絶縁部から前記板状端子の表面に対して平行に突出し、前記第２絶縁部からそれぞれの先端部までの長さが異なる一対の端子部を有し、１側と２側が接続されると、前記一対の端子部が前記板状端子の表面に平行な方向に拡げられて前記プラグの前記突出部を挟むことにより、前記プラグの前記突出部の両側面に係合する。
【０００８】
また、前記第２絶縁部は、前記第１端子側に突出する突出保持部を有し、前記第１端子は、前記一対の端子部の一方が前記第２絶縁部から直線状に突出して前記突出保持部に保持されてもよい。
【０００９】
また、前記プラグは、１側と２側が接続された状態で前記一対の端子部の一方に当接する折り曲げ部を有してもよい。
【００１２】
また、前記プラグの前記突出部の板厚方向は、前記板状端子に対して起立するように角度を有してもよい。
【００１３】
また、前記第１端子及び前記第２端子は、平面視で、２つの第２端子の間に、２つの第１端子が配列されるように、前記第２絶縁部に保持されてもよい。
【発明の効果】
【００１４】
高速での信号伝達特性の良好なコネクタを提供できるという特有の効果が得られる。
【図面の簡単な説明】
【００１５】
【図１】実施の形態１のコネクタを示す斜視図である。
【図２】実施の形態１のコネクタ１００に含まれる第１端子２１と第２端子２２を示す平面図である。
【図３】実施の形態１のコネクタ１００の接続状態を示す図である。
【図４】実施の形態２のコネクタ２００を示す斜視図である。
【図５】実施の形態２のコネクタ２００のコネクタ部同士を接続工程を段階的に示す図である。
【図６】実施の形態２のコネクタ２００のコネクタ部同士を接続工程を段階的に示す図である。
【図７】実施の形態３のコネクタ３００を示す斜視図である。
【図８】実施の形態３のコネクタを示す斜視図である。
【発明を実施するための形態】
【００１６】
以下、コネクタを適用した実施の形態について説明する。
【００１７】
＜実施の形態１＞
図１は、実施の形態１のコネクタを示す斜視図である。
【００１８】
実施の形態１のコネクタ１００は、図１（Ａ）に示すコネクタ部１０と、図１（Ｂ）に示すコネクタ部２０とを含む。
【００１９】
コネクタ部１０は、板状端子１１、第１絶縁部１２、及びプラグ１３を含む雄型のコネクタ部である。板状端子１１とプラグ１３は、片側が第１絶縁部１２とインサート成型されることによって保持されている。なお、図１（Ａ）にはプラグ１３を２つ示すが、プラグ１３の数は３つ以上であってもよい。
【００２０】
板状端子１１は、例えば、銅板で構成され、電源用の電位又はグランド電位に保持される。
【００２１】
第１絶縁部１２は、板状端子１１上に配設されており、樹脂等の絶縁材料で構成される。第１絶縁部１２は、板状端子１１の上でプラグ１３を保持するための保持部１２Ａを有する。第１絶縁部１２は、板状端子１１とプラグ１３とを電気的に絶縁する。
【００２２】
プラグ１３は、一対のプラグ部１３１、１３２を含み、例えば、銅製である。プラグ部１３１、１３２は、ともに第１絶縁部１２の保持部１２Ａに保持され、板状端子１１上で第１絶縁部１２から突出している。プラグ部１３１、１３２は、互いに絶縁されており、第１絶縁部１２の内部を通じて、図示しない信号線等に接続される。
【００２３】
プラグ部１３１、１３２は、突出部１３１Ａ、１３２Ａを有する。突出部１３１Ａ、１３２Ａは、第１絶縁部１２に保持されている保持部１３１Ｂ、１３２Ｂに対してＬ字型に折り曲げられている。このため、突出部１３１Ａ、１３２Ａの板厚方向は、板状端子１１に対して起立するように角度を有する。
【００２４】
このようなプラグ１３は、例えば、プラグ部１３１、１３２で位相の異なる高周波信号を伝送するために用いることができる。
【００２５】
図１（Ｂ）に示すコネクタ部２０は、第１端子２１、第２端子２２、グランド端子２３、及び第２絶縁部２４を含む。第１端子２１、第２端子２２、及びグランド端子２３は、例えば、銅製であり、片側が第２絶縁部２４とインサート成型されることによって保持されている。
【００２６】
第１端子２１は、端子部２１１、２１２を有する。端子部２１１と端子部２１２は、第２絶縁部２４内に含まれる部分で接続されており、平面視でＵ字型の板ばねになっている。端子部２１１は、端子部２１２よりも長くなるように形成されている。
【００２７】
端子部２１１、２１２は、コネクタ部１０とコネクタ部２０が接続される場合に、根本部２１１Ａ、２１２Ａから先端部２１１Ｂ、２１２Ｂまで、コネクタ部１０の板状端子１１との距離が等距離になるように、すなわち、根本部２１１Ａ、２１２Ａから先端部２１１Ｂ、２１２Ｂまで板状端子１１と平行になるように、第２絶縁部２４によって保持されている。
【００２８】
第２端子２２は、第１端子２１の左右を入れ替えた構造を有しており、端子部２２１、２２２を有する。端子部２２１と端子部２２２は、第２絶縁部２４内に含まれる部分（破線で示す部分）で接続されており、平面視でＵ字型の板ばねになっている。端子部２２１は、端子部２２２よりも長くなるように形成されている。
【００２９】
端子部２２１、２２２は、コネクタ部１０とコネクタ部２０が接続される場合に、根本部２２１Ａ、２２２Ａから先端部２２１Ｂ、２２２Ｂまで、コネクタ部１０の板状端子１１との距離が等距離になるように、すなわち、根本部２２１Ａ、２２２Ａから先端部２２１Ｂ、２２２Ｂまで板状端子１１と平行になるように、第２絶縁部２４によって保持されている。
【００３０】
第１端子２１及び第２端子２２は、コネクタ部１０とコネクタ部２０が接続される場合に、それぞれ、コネクタ部１０のプラグ部１３１、１３２と係合することにより、電気的に接続される端子である。
【００３１】
グランド端子２３は、第１絶縁部２４の突出部２４Ａで保持されており、長手方向に対して垂直な方向に撓むことのできる板ばねによって構成されている。グランド端子２３は、先端側に折り曲げ部２３Ａを有し、グランド端子２３は、コネクタ部１０とコネクタ部２０が接続される場合に、折り曲げ部２３Ａが板状端子１１の表面に当接し、板状端子１１と電気的に接続される。
【００３２】
ここで、第１端子２１と第２端子２２の構造を図２を用いてさらに詳しく説明する。
【００３３】
図２は、実施の形態１のコネクタ１００に含まれる第１端子２１と第２端子２２を示す平面図である。
【００３４】
第１端子２１と第２端子２２は、図２に示すように、Ｕ字型の板ばねになっている。
【００３５】
端子部２１１、２１２は、先端部２１１Ｂと２１２Ｂの少し手前で、互いの方向に突出する突出部２１１Ｃ、２１２Ｃを有する。突出部２１１Ｃ、２１２Ｃは、コネクタ部１０とコネクタ部２０が接続される場合に、プラグ部１３１の突出部１３１Ａと係合する。
【００３６】
第１端子２１は、Ｕ字型の板ばねであるため、突出部２１１Ｃ、２１２Ｃの間の間隔Ａは、プラグ部１３１の突出部１３１Ａの幅よりも狭く設定されている。
【００３７】
これは、第２端子２２の突出部２２１Ｃ、２２２Ｃの間の間隔Ａについても同様であり、突出部２２１Ｃ、２２２Ｃの間の間隔Ａは、プラグ部１３１の突出部１３１Ｂの幅よりも狭く設定されている。
【００３８】
次に、コネクタ部１０とコネクタ部２０が接続した状態について説明する。
【００３９】
図３は、実施の形態１のコネクタ１００の接続状態を示す図である。
【００４０】
図３（Ａ）に示すように、コネクタ部１０とコネクタ部２０を接続すると、プラグ１３の突出部１３１Ａの両側面に第１端子２１の端子部２１１、２１２が係合し、プラグ１３の突出部１３２Ａの両側面に第２端子２２の端子部２２１、２２２が係合する。この状態では、第１端子２１及び第２端子２２のＵ字型の板ばねは、自然長よりも拡げられた状態であり、板ばねの復元力により、突出部１３１Ａ、１３２Ａの両側面に密着している。
【００４１】
また、図３（Ａ）、（Ｂ）に示すように、グランド端子２３は、先端側にある折り曲げ部２３Ａが板状端子１１の表面に密着している。
【００４２】
また、図３（Ａ）、（Ｂ）に示すように、板状端子１１は、コネクタ部１０とコネクタ部２０を接続した状態で、第２絶縁部２４まで到達する大きさを有しており、端子部２１１、２１２、及びグランド端子２３の全体と重なる大きさを有する。
【００４３】
このようにして、実施の形態１のコネクタ１００によれば、コネクタ部１０とコネクタ部２０が接続した状態で、プラグ１３のプラグ部１３１と第１端子２１、プラグ部１３２と第２端子２２、板状端子１１とグランド端子２３の間における電気的接続を確保することができる。
【００４４】
また、プラグ１３に接続される第１端子２１、第２端子２２は、例えば、高周波信号等を伝送するために用いられるが、コネクタ部１０とコネクタ部２０とを接続する場合に、第１端子２１と第２端子２２は、板状端子１１に対して平行な方向に変位する。
【００４５】
このため、第１端子２１と第２端子２２の高さを揃えてコネクタ部２０を作製しておけば、コネクタ部１０との接続後に、第１端子２１と第２端子２２の間で、板状端子１１に対する高さにばらつきが生じることを抑制することができる。
【００４６】
このため、第１端子２１と第２端子２２との特性インピーダンスのばらつきやインピーダンスの不整合の発生を抑制することができる。
【００４７】
また、この結果、信号の劣化、損失の増大等を抑制し、高速での信号伝達特性の良好なコネクタ１００を提供することができる。
【００４８】
また、第１端子２１と第２端子２２は、長さの異なる端子部２１１、２１２、端子部２２１、２２２をそれぞれ有する。端子部２１１、２２１同士と、端子部２１２、２２２同士との長さは、同一であってもよいが、端子部２１１、２１２同士と、端子部２２１、２２２同士の長さが異なることにより、コネクタ部１０とコネクタ部２０の係合時に、プラグ１３のプラグ部１３１、１３２に端子部２１１、２２１が係合するタイミングと、プラグ部１３１、１３２に端子部２１２、２２２が係合するタイミングとをずらすことができる。これにより、コネクタ部１０とコネクタ部２０の係合時に、プラグ１３のプラグ部１３１、１３２にかかる応力を少なくすることができるので、プラグ１３のプラグ部１３１、１３２に係合し易くなる。また、少ない応力でコネクタ部１０とコネクタ部２０を係合させることができるので、プラグ３３のプラグ部１３１、１３２をより薄くすることができる。
【００４９】
また、板状端子１１は、コネクタ部１０とコネクタ部２０を接続した状態で、端子部２１１、２１２、及びグランド端子２３の全体と重なる大きさを有するため、複数のコネクタ１００を重ねた場合に、重ね合わせたコネクタ１００同士の間を板状端子１１で遮蔽することができる。このため、重ね合わせたコネクタ１００に含まれる端子部２１１、２１２、及びグランド端子２３同士のクロストークの発生を抑制でき、高速での信号伝達特性の良好なコネクタ１００を提供することができる。
【００５０】
また、平面視で、２本のグランド端子２３の間にプラグ１３に接続される第１端子２１、第２端子２２を配設したので、第１端子２１、第２端子２２、及びグランド端子２３を横方向に多数配列した場合に、横方向における第１端子２１及び第２端子２２同士のクロストークを抑制することができる。
【００５１】
＜実施の形態２＞
図４は、実施の形態２のコネクタ２００を示す斜視図である。
【００５２】
実施の形態２のコネクタ２００は、プラグと、第１端子及び第２端子の形状が実施の形態１のコネクタ１００と異なる。その他の構成は実施の形態１のコネクタ１００と同一であるため、同一の構成要素には同一符号を付し、その説明を省略する。
【００５３】
実施の形態２のコネクタ２００は、プラグ３３、第１端子４１、第２端子４２の構造が実施の形態１のコネクタ１００のプラグ部１３、第１端子２１、第２端子２２の構造と異なる。以下相違点を中心に説明する。
【００５４】
図４（Ａ）に示すように、プラグ３３は、第１絶縁部１２によって保持されている。また、第１端子４１、第２端子４２は、第２絶縁部２４によって保持されている。
【００５５】
プラグ３３のプラグ部３３１、３３２の突出部３３１Ａ、３３２Ａには折り曲げ部３３１Ｂ、３３２Ｂが形成されている。折り曲げ部３３１Ｂ、３３２Ｂは、互いに接近する方向に折り曲げられている。
【００５６】
図４（Ｂ）に示すように、第１端子４１は、端子部４１１、４１２を含む。第１端子４１は、平面視でＵ字型の板ばねで構成される。端子部４１１の構造は、実施の形態１の端子部２１１の構造と同一であるが、端子部４１２は、直線状である。端子部４１１は、端子部４１２よりも長くなるように形成されている。
【００５７】
また、端子部４１１の先端部４１１Ｂよりも少し根本部４１１Ａ側に形成された突出部４１１Ｃと、端子部４１２の先端部４１２Ａとの間の間隔Ｂは、プラグ部３３１の突出部３３１Ａを含む幅よりも狭く設定されている。
【００５８】
同様に、第２端子４２は、端子部４２１、４２２を含む。第２端子４２は、平面視でＵ字型の板ばねで構成される。端子部４２１の構造は、実施の形態１の端子部２２１の構造と同一であるが、端子部４２２は、直線状である。端子部４２１は、端子部４２２よりも長くなるように形成されている。
【００５９】
また、端子部４２１の先端部４２１Ｂよりも少し根本部４２１Ａ側に形成された突出部４２１Ｃと、端子部４２２の先端部４２２Ａとの間の間隔Ｂは、プラグ部３３２の突出部３３２Ａを含む幅よりも狭く設定されている。
【００６０】
また、図４（Ａ）に示すように、第１端子４１の端子部４１２と、第２端子４２の端子部４２２の間には、第２絶縁部２４の突出部２４Ｂが配設されている。突出部２４Ｂは、端子部４１２、４２２を保持している。
【００６１】
次に、図５、図６を用いて実施の形態２のコネクタ２００のコネクタ部同士を接続する方法と構造の詳細について説明する。図５（Ａ）、（Ｂ）、図６（Ａ）、（Ｂ）は、この順でコネクタ２００に含まれるコネクタ部２１０、２２０を接続させる際の第１端子４１、第２端子４２の動きを段階的に示している。
【００６２】
図５（Ａ）に示す状態では、プラグ３３のプラグ部３３１、３３２の突出部３３１Ａ、３３２Ａの先端が突出部４１１Ｃ及び突出部４２１Ｃと接している。この段階では、端子部４１２及び端子部４２２とプラグ３３は接触していない。コネクタ部２１０とコネクタ部２２０をさらに接近させると、端子部４１２及び端子部４２２は、板ばねを拡げる（開く）方向に変位する。
【００６３】
図５（Ｂ）に示す状態では、突出部４１１Ｃ及び突出部４２１Ｃが、折り曲げ部３３１Ｂ、３３２Ｂの外側の側面に係合している。突出部４１１Ｃ及び突出部４２１Ｃが、折り曲げ部３３１Ｂ、３３２Ｂに係合すると、プラグ３３のプラグ部３３１、３３２は、折り曲げ部３３１Ｂ、３３２Ｂの分だけ板ばねが復元する（閉じる方向に変位する）。
【００６４】
図６（Ａ）に示す状態では、突出部４１１Ｃ及び突出部４２１Ｃは、折り曲げ部３３１Ｂ、３３２Ｂを通過し、端子部４１２、４２２の先端部４１２Ａ、４２２Ａが折り曲げ部３３１Ｂ、３３２Ｂの内側の側面に接近する。
【００６５】
図６（Ｂ）に示す状態では、コネクタ部２１０とコネクタ部２２０は、完全に接続している。
【００６６】
このように、端子部４１１がプラグ部３３１に接触するタイミングと、端子部４１２がプラグ部３３１に接触するタイミングとがずれるように、端子部４１１と端子部４１２の長さ、及び突出部４１１Ｃと先端部４１２Ａの位置が設定されている。
【００６７】
同様に、端子部４２１がプラグ部３３２に接触するタイミングと、端子部４２２がプラグ部３３２に接触するタイミングとがずれるように、端子部４２１と端子部４２２の長さ、及び突出部４２１Ｃと先端部４２２Ａの位置が設定されている。
【００６８】
これにより、端子部４１２と端子部４２２は可動しない接点となるので、端子部４１２と端子部４２２の距離を縮めることができ、また、プラグ３３のプラグ部３３１とプラグ部３３２との距離も縮めることができるので、コネクタ２００の小型化が可能になる。
【００６９】
このようにして、実施の形態２のコネクタ２００によれば、コネクタ部２１０とコネクタ部２２０が接続した状態で、プラグ３３のプラグ部３３１と第１端子４１、プラグ部３３２と第２端子４２、板状端子１１とグランド端子２３の間における電気的接続を確保することができる。
【００７０】
また、プラグ３３に接続される第１端子４１、第２端子４２は、例えば、高周波信号等を伝送するために用いられるが、コネクタ部１０とコネクタ部２０とを接続する場合に、第１端子４１と第２端子４２は、板状端子１１に対して平行な方向に変位する。
【００７１】
このため、第１端子４１と第２端子４２の高さを揃えてコネクタ部２２０を作製しておけば、コネクタ部２１０との接続後に、第１端子４１と第２端子４２の間で、板状端子１１に対する高さにばらつきが生じることを抑制することができる。
【００７２】
このため、第１端子４１と第２端子４２との特性インピーダンスのばらつきやインピーダンスの不整合の発生を抑制することができる。
【００７３】
また、この結果、信号の劣化、損失の増大等を抑制し、高速での信号伝達特性の良好なコネクタ２００を提供することができる。
【００７４】
＜実施の形態３＞
図７は、実施の形態３のコネクタ３００を示す斜視図である。
【００７５】
実施の形態３のコネクタ３００は、プラグの形状を、実施の形態１の第１端子及び第２端子の形状と同じ形状にした点が実施の形態１のコネクタ１００と異なる。その他の構成は実施の形態１のコネクタ１００と同一であるため、同一の構成要素には同一符号を付し、その説明を省略する。
【００７６】
図７（Ｂ）に示すコネクタ部３１０は、実施の形態１のコネクタ部１０と同一である。
【００７７】
一方、図７（Ａ）に示すコネクタ部３２０は、コネクタ部３１０に含まれる第１端子２１及び第２端子２２と同一形状のプラグ部５１、５２を有するプラグ５３を含む。
【００７８】
図７（Ａ）に示すように、プラグ部５１は、端子部５１１、５１２を有する。端子部５１１と端子部５１２は、第１絶縁部１２内に含まれる部分で接続されており、平面視でＵ字型の板ばねになっている。端子部５１１は、端子部５１２よりも長くなるように形成されている。なお、Ｕ字型の板ばねで構成されるプラグ部５１の形状は、図２に示す第１端子２１及び第２端子２２と同一である。プラグ部５１は、図７（Ｂ）に示す第１端子２１と接続されるため、第１端子２１に対して９０°回転させた状態で第１絶縁部１２に保持されている。
【００７９】
同様に、プラグ部５２は、端子部５２１、５２２を有する。端子部５２１と端子部５２２は、第１絶縁部１２内に含まれる部分で接続されており、平面視でＵ字型の板ばねになっている。端子部５２１は、端子部５２２よりも長くなるように形成されている。なお、Ｕ字型の板ばねで構成されるプラグ部５２の形状は、図２に示す第１端子２１及び第２端子２２と同一である。プラグ部５２は、図７（Ｂ）に示す第２端子２２と接続されるため、第２端子２２に対して９０°回転させた状態で第１絶縁部１２に保持されている。
【００８０】
このような実施の形態３のコネクタ部３１０とコネクタ部３２０とを接続すると、図８に示すように、プラグ部５１と第１端子２１が係合して接続され、プラグ部５２と第２端子２２が係合して接続される。
【００８１】
このため、実施の形態３のコネクタ３００によれば、コネクタ部３１０とコネクタ部３２０が接続した状態で、プラグ５３のプラグ部５１と第１端子２１、プラグ部５２と第２端子２２、板状端子１１とグランド端子２３の間における電気的接続を確保することができる。
【００８２】
また、第１端子２１と第２端子２２の高さを揃えてコネクタ部３２０を作製するとともに、プラグ部５１とプラグ部５２の高さを揃えてコネクタ部３１０を作製すれば、コネクタ部３１０と３２０を接続した後に、第１端子２１及びプラグ部５１の接続状態と、第２端子２２及びプラグ部５２の接続状態とを揃えることができ、ばらつきが生じることを抑制することができる。
【００８３】
このため、第１端子２１と第２端子２２との特性インピーダンスのばらつきやインピーダンスの不整合の発生を抑制することができる。
【００８４】
また、この結果、信号の劣化、損失の増大等を抑制し、高速での信号伝達特性の良好なコネクタ３００を提供することができる。
【００８５】
また、第１端子２１と第２端子２２は、長さの異なる端子部２１１、２１２、端子部２２１、２２２をそれぞれ有し、プラグ部５１とプラグ部５２も、長さの異なる端子部５１１、５１２、端子部５２１、５２２をそれぞれ有するため、コネクタ部３１０と３２０とを容易に接続することができる。
【００８６】
以上、本発明の例示的な実施の形態のコネクタについて説明したが、本発明は、具体的に開示された実施の形態に限定されるものではなく、特許請求の範囲から逸脱することなく、種々の変形や変更が可能である。
【符号の説明】
【００８７】
１００  コネクタ
１０  コネクタ部
１１  板状端子
１２  第１絶縁部
１２Ａ  保持部
１３  プラグ
１３１、１３２  プラグ部
１３１Ａ、１３２Ａ  突出部
１３１Ｂ、１３２Ｂ  保持部
２１  第１端子
２２  第２端子
２３  グランド端子
２４  第２絶縁部
２１１、２１２  端子部
２１１Ａ、２１２Ａ  根本部
２１１Ｂ、２１２Ｂ  先端部
２１１Ｃ、２１２Ｃ  突出部
２２１、２２２  端子部
２２１Ａ、２２２Ａ  根本部
２２１Ｂ、２２２Ｂ  先端部
２２１Ｃ、２２２Ｃ  突出部
２００  コネクタ
３３  プラグ
４１  第１端子
４２  第２端子
３３１、３３２  プラグ部
３３１Ａ、３３２Ａ  突出部
３３１Ｂ、３３２Ｂ  折り曲げ部
４１１、４１２  端子部
４１１Ａ  根本部
４１１Ｂ  先端部
４１１Ｃ  突出部
４１２Ａ  先端部
４２１、４２２  端子部
４２１Ａ  根本部
４２１Ｂ  先端部
４２１Ｃ  突出部
４２２Ａ  先端部
５１、５２  プラグ部
５３  プラグ
５１１、５１２  端子部
５２１、５２２  端子部
【図１】
0005554619.tif 000002
【図２】
0005554619.tif 000003
【図３】
0005554619.tif 000004
【図４】
0005554619.tif 000005
【図５】
0005554619.tif 000006
【図６】
0005554619.tif 000007
【図７】
0005554619.tif 000008
【図８】
0005554619.tif 000009